【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
１以上の着色除去剤及び１以上の抗菌剤が付着した基材であって、
前記基材は、AATCC試験法100-2012により測定した場合に、１時間の接触時間内に、大腸菌ATCC 25922及びカンジダアルビカンスATCC 10231の減少値が99％以上となり、
前記基材は、AATCC試験法130-2010により測定した場合に、グレード３以上の着色除去等級を有し、
前記基材は、AATCC試験法22-2014により測定した場合に、50以下の撥水等級を有し、
前記基材は、AATCC試験法118-2013により測定した場合に、グレード１以下の撥油等級を有し、
10〜15分間の非抗菌性、非イオン性及び非塩素含有洗濯洗剤を用いた洗濯機における25回以上の洗濯後においても抗菌効率及び着色除去等級が得られる、
基材。
【請求項２】
前記抗菌剤は、アゾール系化合物、金属、ポリグルコサミン、及びポリヘキサメチレンビグアニドからなる群から選択され、
前記基材に付着した２以上の抗菌剤の総量は、前記基材の織地重量で約2.0％以下であり、前記基材の織地重量で約0.4％以上である、
請求項１の基材。
【請求項３】
アゾール系化合物、金属、ポリグルコサミン、及びポリヘキサメチレンビグアニドからなる群から選択される２以上の抗菌剤が付着した基材であって、
前記基材に付着した前記２以上の抗菌剤の総量は、前記基材の織地重量で2.0%以下であり、前記基材の織地重量で0.4%以上であり、
前記基材は、AATCC試験法100-2012により測定した場合に、１時間の接触時間内に、大腸菌ATCC 25922及びカンジダアルビカンスATCC 10231の減少値が99％以上となり、
前記基材は、AATCC試験法130-2010により測定した場合に、グレード３以上の着色除去等級を有し、
前記基材は、AATCC試験法22-2014により測定した場合に、50以下の撥水等級を有し、
前記基材は、AATCC試験法118-2013により測定した場合に、グレード１以下の撥油等級を有し、
10〜15分間の非抗菌性、非イオン性及び非塩素含有洗濯洗剤を用いた洗濯機における25回以上の洗濯後においても抗菌効率が得られる、
基材。
【請求項４】
１以上の着色除去剤を含む、請求項３の基材。
【請求項５】
前記洗濯は85±15℃で行われる、請求項１から４のいずれか一項の基材。
【請求項６】
前記基材に付着した前記１以上の着色除去剤は、AATCC試験法130-2010により試験した場合に、着色除去等級を４グレード上げる、請求項１、２、４又は５に記載の基材。
【請求項７】
前記着色除去剤のうち１以上又はすべての着色除去剤は前記抗菌剤と異なる、請求項１、２、又は４から６のいずれか一項に記載の基材。
【請求項８】
前記着色除去剤のうち１以上又はすべての着色除去剤は親水性薬剤である、請求項１、２、又は４から７のいずれか一項に記載の基材。
【請求項９】
前記１以上の着色除去剤は、脂肪族アルコールエトキシレート及びオルガノシランターポリマーからなる群から選択された少なくとも１つを含む、請求項１、２、又は４から８のいずれか一項の基材。
【請求項１０】
前記着色除去剤は、前記基材の織地重量で、合計0.2％以上の量で前記基材に付着する、請求項１、２、又は４から９のいずれか一項の基材。
【請求項１１】
基材は、ASTM D7367-14により試験した場合に、その重量の５倍以上の容水量を有する、請求項１から10のいずれか一項の基材。
【請求項１２】
前記基材は不織布であり、前記不織布の繊維の平均径は６ミクロン以下である、請求項１から11のいずれか一項の基材。
【請求項１３】
基材を仕上げ処理するためのプロセスであって、
抗菌液剤付与プロセスを用いて前記基材を処理し、前記液剤は１以上の抗菌剤を含み、
前記処理された基材を乾燥させ、
着色除去液剤付与プロセスを用いて前記乾燥させた基材を処理し、前記液剤は、前記基材の撥水性又は撥油性を増加させることができない１以上の着色除去剤を含み、
前記処理された基材をキュアリングし、該キュアリングは、170℃以上のキュアリング周囲温度で少なくとも部分的に行われる、
プロセス。
【請求項１４】
前記１以上の抗菌剤は、アゾール系化合物と、第４級アンモニウムオルガノシラン化合物、金属、ポリグルコサミン、及びポリヘキサメチレンビグアニドからなる群から選択された少なくとも１つとを含む、請求項１３のいずれか一項のプロセス。
【請求項１５】
前記１以上の着色除去剤は、請求項６から10のいずれか一項に規定されるものである、請求項13又は14のいずれか一項のプロセス。
【請求項１６】
前記仕上げ処理された基材は、AATCC試験法100-2012により測定した場合に、１時間の接触時間内に、大腸菌ATCC 25922及びカンジダアルビカンスATCC 10231の減少値が99％以上となる、請求項13から15のいずれか一項のプロセス。
【請求項１７】
前記仕上げ処理された基材は、AATCC試験法130-2010により測定した場合に、グレード３以上の着色除去等級を有する、請求項13から16のいずれか一項のプロセス。
【請求項１８】
請求項13から17のいずれか一項のプロセスにより得られる基材。
【請求項１９】
請求項１から12のいずれか一項又は請求項18に規定された基材を含む、あるいは請求項１から12のいずれか一項又は請求項18に規定された基材からなる、布製品。
【請求項２０】
請求項１から12のいずれか一項又は請求項18に規定された基材を、タオル、キッチンタオル、ナプキン、ハンカチ、フェイスマスク、清掃用床モップ、ワイプ、タンポン、外傷治療に用いられるもの、パンティー、下着、ブラジャー、又は外傷治療に用いられるものを含む材料として又はこれらを形成する材料として用いる方法。
【請求項２１】
請求項１から12のいずれか一項又は請求項18に規定された基材により形成される少なくとも１つの層と、AATCC試験法22-2014により測定した場合に70以上の撥水等級を有する少なくとも１つの撥水層とを含む衛生用品。
【請求項２２】
前記衛生用品は、生理用ナプキン、パンティー又は下着ライナ、おしめ、おむつ、おむつライナ、大人用おむつ、ベッドパッド、及び看護用パッドからなる群から選択された１つである、請求項21の衛生用品。
【請求項２３】
AATCC試験法22-2014により測定した場合に、70以上の撥水等級を有する撥水層と、
アゾール系化合物、金属、ポリグルコサミン、及びポリヘキサメチレンビグアニドからなる群から選択される２以上の抗菌剤が付着し、前記基材に付着した前記２以上の抗菌剤の総量は、前記基材の織地重量で2.0％以下であり、前記基材の織地重量で0.4％以上であり、
１以上の着色除去剤が付着した
基材を含む又はこのような基材からなる１以上の拡散層と
を備え、前記基材は、AATCC試験法130-2010により測定した場合にグレード３以上の着色除去等級と、AATCC試験法22-2014により測定した場合に50以下の撥水等級と、AATCC試験法118-2013により測定した場合にグレード１以下の撥油等級とを有する、
洗濯可能な衛生用品。
【請求項２４】
前記１以上の着色除去剤は、請求項６から10のいずれか一項に規定されるものである、請求項23の衛生用品。
【請求項２５】
基材は、ASTM D7367-14により試験した場合に、その重量の５倍以上の容水量を有する、請求項23から24のいずれか一項の衛生用品。
【請求項２６】
前記基材は不織布であり、前記不織布の繊維の平均径は６ミクロン以下である、請求項23から25のいずれか一項の衛生用品。
【請求項２７】
前記着色除去等級は、85±15℃で10〜15分間の非抗菌性、非イオン性及び非塩素含有洗濯洗剤を用いた洗濯機における25回以上の洗濯後においても得られる、請求項23から26のいずれか一項の衛生用品。
【請求項２８】
前記衛生用品は、請求項21による製品である、請求項23から27のいずれか一項の衛生用品。
【手続補正２】
【補正対象書類名】明細書
【補正対象項目名】００２４
【補正方法】変更
【補正の内容】
【００２４】
第６の実施形態によれば、実施形態１から４のいずれかの基材において、上記１以上の抗菌剤は、
金属と、ポリヘキサメチレンビグアニド、ポリグルコサミン、及びアゾール系化合物からなる群から選択された少なくとも１つ、又は少なくとも２つ、又は３つすべてと、あるいは、
アゾール系化合物と、ポリヘキサメチレンビグアニド、ポリグルコサミン、及び金属からなる群から選択された少なくとも１つ、又は少なくとも２つ、又は３つすべてと、あるいは、
ポリヘキサメチレンビグアニドと、金属、ポリグルコサミン、及びアゾール系化合物からなる群から選択された少なくとも１つ、又は少なくとも２つ、又は３つすべてと、あるいは、
ポリグルコサミンと、銀カチオン、ポリヘキサメチレンビグアニド、及びアゾール系化合物からなる群から選択された少なくとも１つ、又は少なくとも２つ、又は３つすべてと、あるいは、
金属と、ポリヘキサメチレンビグアニド、ポリグルコサミン、第４級アンモニウムオルガノシラン化合物、及びアゾール系化合物からなる群から選択された少なくとも１つ、又は少なくとも２つ、又は少なくとも３つ、又は４つすべてと、あるいは、
アゾール系化合物と、ポリヘキサメチレンビグアニド、ポリグルコサミン、第４級アンモニウムオルガノシラン化合物、及び金属からなる群から選択された少なくとも１つ、又は少なくとも２つ、又は少なくとも３つ、又は４つすべてと、あるいは、
ポリヘキサメチレンビグアニドと、金属、ポリグルコサミン、第４級アンモニウムオルガノシラン化合物、及びアゾール系化合物からなる群から選択された少なくとも１つ、又は少なくとも２つ、又は少なくとも３つ、又は４つすべてと、あるいは、
ポリグルコサミンと、銀カチオン、ポリヘキサメチレンビグアニド、第４級アンモニウムオルガノシラン化合物、及びアゾール系化合物からなる群から選択された少なくとも１つ、又は少なくとも２つ、又は少なくとも３つ、又は４つすべてと、あるいは、
第４級アンモニウムオルガノシラン化合物と、銀カチオン、ポリヘキサメチレンビグアニド、ポリグルコサミン、及びアゾール系化合物からなる群から選択された少なくとも１つ、又は少なくとも２つ、又は少なくとも３つ、又は４つすべてと、あるいは、
第４級アンモニウムオルガノシラン化合物と、金属及びアゾール系化合物からなる群から選択された少なくとも１つ、好ましくは両方と、あるいは、
金属と、第４級アンモニウムオルガノシラン化合物及びアゾール系化合物からなる群から選択された少なくとも１つ、好ましくは両方と、あるいは
アゾール系化合物と、第４級アンモニウムオルガノシラン化合物及び金属からなる群から選択された少なくとも１つ、好ましくは両方と
を含んでいる。
【手続補正３】
【補正対象書類名】明細書
【補正対象項目名】０１２５
【補正方法】変更
【補正の内容】
【０１２５】
第106の実施形態によれば、実施形態１から59のいずれか、又は実施形態98、又は実施形態99から105のいずれかの基材において、上記出発基材は、25GSM以上、好ましくは50GSM以上、より好ましくは80GSM以上、さらにより好ましくは100GSM以上、特に120GSM以上、最も好ましくは約125GSM以上の重量を有する。
【手続補正４】
【補正対象書類名】明細書
【補正対象項目名】０１５４
【補正方法】変更
【補正の内容】
【０１５４】
第135の実施形態によれば、実施形態133又は134のいずれかの衛生用品において、上記さらなる層の面のうち少なくとも１つは、撥水及び撥油剤で仕上げ処理され、必要に応じてポリウレタン（PU）を含み、好ましくは、C6炭素鎖又は及びC8炭素鎖を有するパーフルオロアルキルエチルアクリレート共重合体で強化されている。
【手続補正５】
【補正対象書類名】明細書
【補正対象項目名】０１６２
【補正方法】変更
【補正の内容】
【０１６２】
第142の実施形態によれば、実施形態141の衛生用品において、上記衛生用品は、50GSM以上、好ましくは100GSM以上、より好ましくは200GSM以上、最も好ましくは300GSM以上の１つの主吸収層を含む。
【手続補正６】
【補正対象書類名】明細書
【補正対象項目名】０１６３
【補正方法】変更
【補正の内容】
【０１６３】
第143の実施形態によれば、実施形態141の衛生用品において、上記衛生用品は、700GSM以下、好ましくは500GSM以下、より好ましくは400GSM以下、最も好ましくは300GSM以下の１つの主吸収層を含む。
【手続補正７】
【補正対象書類名】明細書
【補正対象項目名】０１６６
【補正方法】変更
【補正の内容】
【０１６６】
第146の実施形態によれば、実施形態145の衛生用品において、上記衛生用品は、50GSM以上、好ましくは100GSM以上、より好ましくは200GSM以上、最も好ましくは300GSM以上の１つの吸収層と、50GSM以上、好ましくは100GSM以上、より好ましくは150GSM以上、最も好ましくは200GSM以上の１つの吸収層とを含む。
【手続補正８】
【補正対象書類名】明細書
【補正対象項目名】０１８９
【補正方法】変更
【補正の内容】
【０１８９】
第164の実施形態によれば、実施形態162又は163のいずれかの衛生用品において、上記機能的ゾーンは、20cm以下、好ましくは15cm以下、より好ましくは10cm以下、最も好ましくは7.5cm以下の最大幅及び／又は最小幅を有する。
【手続補正９】
【補正対象書類名】明細書
【補正対象項目名】０４７４
【補正方法】変更
【補正の内容】
【０４７４】
実験例3cから、吸尽プロセスを用いて抗菌剤を付与することにより、パディングプロセスによる付与よりも抗菌性能及び／又は抗菌特性の洗浄耐久性がずっと良くすることができると結論付けることができる。吸尽プロセスを用いて抗菌剤を付与することは、その後のパディングプロセスにおいて与えられる親水性及び着色除去特性及び／又はその洗浄耐久性をさらに向上させる。実験例3aにより、吸尽プロセスにおいて抗菌剤により処理された布地に親水性薬剤／着色除去剤を付与する場合であっても、抗菌性能及び／又はその洗浄耐久性に関しては60分の吸尽時間が理想的であることが確認された。最後に、実験例3bは、抗菌性能に関してだけではなく、親水性及び着色除去能力及び／又はその洗浄耐久性に関しても、180℃のキュアリング温度が理想的であることを示していた。
【手続補正１０】
【補正対象書類名】明細書
【補正対象項目名】０４９５
【補正方法】変更
【補正の内容】
【０４９５】
以下に概説するような衛生用品の寸法を考えれば、例示的な実施形態においては、吸収層４のうち１つ以上の層は、有利なことに、50GSM以上、好ましくは100GSM以上、より好ましくは200GSM以上、最も好ましくは300GSM以上、さらに／あるいは700GSM以下、好ましくは500GSM以下、より好ましくは400GSM以下、最も好ましくは300GSM以下の織地から形成される。
【手続補正１１】
【補正対象書類名】明細書
【補正対象項目名】０４９６
【補正方法】変更
【補正の内容】
【０４９６】
衛生用品が２つの主吸収層４を含む例示的な実施形態においては、１つの吸収層が、50GSM以上、好ましくは100GSM以上、より好ましくは200GSM以上、最も好ましくは300GSM以上、さらに／あるいは500GSM以下、好ましくは400GSM以下、より好ましくは350GSM以下、最も好ましくは300GSM以下の織地である。第２の吸収層は、50GSM以上、好ましくは100GSM以上、より好ましくは150GSM以上、最も好ましくは200GSM以上、さらに／あるいは500GSM以下、好ましくは400GSM以下、より好ましくは300GSM以下、最も好ましくは200GSM以下の織地である。
【手続補正１２】
【補正対象書類名】明細書
【補正対象項目名】０５０２
【補正方法】変更
【補正の内容】
【０５０２】
布地材料は、50GSM（平方メートル当たりのグラム数）以上、好ましくは80GSM以上、より好ましくは110GSM以上、最も好ましくは約125GSM以上の重量を有していてもよい。布地材料は、250GSM以下、好ましくは200GSM以下、より好ましくは150GSM以下、最も好ましくは約125GSM以下の重量を有していてもよい。
【手続補正１３】
【補正対象書類名】明細書
【補正対象項目名】０５１５
【補正方法】変更
【補正の内容】
【０５１５】
衛生用品の形状及び固定手段
衛生用品は、図３及び図６において点線により境界が示されている機能的ゾーン10を有することができる。この機能的ゾーン10を通して流体を吸収する。衛生用品の例示的な実施形態においては、機能的ゾーンは、３cm以上、好ましくは４cm以上、最も好ましくは６cm以上、さらに／あるいは、20cm以下、好ましくは15cm以下、より好ましくは10cm以下、最も好ましくは7.5cm以下の最大幅、最小幅、及び／又は平均幅を有している。機能的ゾーンは、10cm以上、好ましくは15cm以上、より好ましくは20cm以上、最も好ましくは23cm以上、さらに／あるいは、50cm以下、好ましくは40cm以下、より好ましくは35cm以下、最も好ましくは30cm以下の最大幅、最小幅、及び／又は平均幅を有し得る。